(57)【要約】【課題】マルチテンド決済時において支払い中に客に分かり易く情報表示することができる表示制御装置およびプログラムを提供する。【解決手段】実施形態の表示制御装置は、領域表示手段と、受付手段と、内訳表示手段とを備える。前記領域表示手段は、売上商品の合計金額と、客からの預り金額と、前記合計金額から前記預り金額を差し引いた金額である残額と、を含む支払情報を表示するための支払情報表示領域と、支払処理中であることを示すためのメッセージ表示領域とを縦に連ねて客用ディスプレイに表示する。前記受付手段は、支払種別ごとの預り金額の入力を受付ける。前記内訳表示手段は、前記入力に応じて、前記支払情報表示領域に預り金額の内訳を表示するための内訳表示領域を設け、支払種別ごとに異なる行を設けて前記預り金額の内訳を表示する。【選択図】図１１
2015069536.tif 000002
【特許請求の範囲】
【請求項１】
売上商品の合計金額と、客からの預り金額と、前記合計金額から前記預り金額を差し引いた金額である残額と、を含む支払情報を表示するための支払情報表示領域と、支払処理中であることを示すためのメッセージ表示領域とを縦に連ねて客用ディスプレイに表示する領域表示手段と、
支払種別ごとの預り金額の入力を受付ける受付手段と、
前記入力に応じて、前記支払情報表示領域に預り金額の内訳を表示するための内訳表示領域を設け、支払種別ごとに異なる行を設けて前記預り金額の内訳を表示する内訳表示手段と、
を備えた表示制御装置。
【請求項２】
前記内訳表示手段は、前記内訳の表示に用いる行数を所定行数以内に制限し、当該行数が前記所定行数に達している際に前記受付手段が新たな支払種別の入力を受付けると、最も先に表示された内訳を非表示とし、替わりに、新たに受付けた前記支払種別の内訳を新たな行で表示する、請求項１に記載の表示制御装置。
【請求項３】
前記内訳表示手段は、前記内訳の表示に用いる行数を所定行数以内に制限し、当該行数が前記所定行数に達している際に前記受付手段が新たな支払種別の入力を受付けると、最も先に表示された内訳を隠し表示とし、替わりに、新たに受付けた前記支払種別の内訳を新たな行で表示し、
操作部の操作に応じて隠し表示された前記内訳を表示する隠し表示手段を更に備えた、請求項１に記載の表示制御装置。
【請求項４】
前記支払情報表示領域の表示行数の変化に伴って、前記メッセージ表示領域の縦方向のサイズが変更された場合に、当該メッセージ表示領域内のメッセージの表示位置を移動させるメッセージ表示手段を更に備えた、請求項１ないし３のいずれか１つに記載の表示制御装置。
【請求項５】
前記領域表示手段は、前記支払情報表示領域および前記メッセージ表示領域を縦に連ねた表示領域の右側もしくは左側に、広告を表示するための広告表示領域を表示する、請求項１ないし４のいずれか１つに記載の表示制御装置。
【請求項６】
表示制御装置において、コンピュータを、
売上商品の合計金額と、客からの預り金額と、前記合計金額から前記預り金額を差し引いた金額である残額と、を含む支払情報を表示するための支払情報表示領域と、支払処理中であることを示すためのメッセージ表示領域とを縦に連ねて客用ディスプレイに表示する領域表示手段と、
支払種別ごとの預り金額の入力を受付ける受付手段と、
前記入力に応じて、前記支払情報表示領域に預り金額の内訳を表示するための内訳表示領域を設け、支払種別ごとに異なる行を設けて前記預り金額の内訳を表示する内訳表示手段と、
として機能させるプログラム。
【発明の詳細な説明】
【技術分野】
【０００１】
本発明の実施形態は、表示制御装置およびプログラムに関する。
【背景技術】
【０００２】
従来、小売店舗や百貨店、専門店等の店舗では、商品の代金を商品券、現金、電子マネー等の支払い媒体を組み合わせて支払うことができる。このように複数の支払い媒体を組み合わせて代金を支払う方法を、マルチテンド決済という。マルチテンド決済を行う際には、店員がＰＯＳ（Point  Of  Sales）装置において商品券、現金、電子マネー等の支払種別ごとに支払い額を入力する。ＰＯＳ装置は店員用ディスプレイにおいて、支払種別ごとの支払い額を示した支払内訳を表示する。
【０００３】
従来のＰＯＳ装置は、店員用のディスプレイにおいて支払種別ごとの支払内訳を表示するのみで、客用ディスプレイには支払種別ごとの支払内訳を表示していなかった。従って、客は、支払が確実に行われているかを表示によって確認することができなかった。また、支払内訳を確認したい場合には、店員から口頭でその支払内訳を聞くか、レシートに印字されている内訳を確認しなければならず、内訳の確認がしづらいという課題があった。このように従来技術においては、マルチテンド決済時において客に分かり易く情報表示することが望まれていた。
【発明の概要】
【発明が解決しようとする課題】
【０００４】
本発明が解決しようとする課題は、マルチテンド決済時において支払い中に客に分かり易く情報表示することができる表示制御装置およびプログラムを提供することである。
【課題を解決するための手段】
【０００５】
実施形態の表示制御装置は、領域表示手段と、受付手段と、内訳表示手段とを備える。前記領域表示手段は、売上商品の合計金額と、客からの預り金額と、前記合計金額から前記預り金額を差し引いた金額である残額と、を含む支払情報を表示するための支払情報表示領域と、支払処理中であることを示すためのメッセージ表示領域とを縦に連ねて客用ディスプレイに表示する。前記受付手段は、支払種別ごとの預り金額の入力を受付ける。前記内訳表示手段は、前記入力に応じて、前記支払情報表示領域に預り金額の内訳を表示するための内訳表示領域を設け、支払種別ごとに異なる行を設けて前記預り金額の内訳を表示する。
【図面の簡単な説明】
【０００６】
【図１】図１は、実施形態にかかるＰＯＳシステムの全体構成を示す斜視図である。
【図２】図２は、客用ディスプレイが設けられている側から見たスキャナの外観斜視図である。
【図３】図３は、スキャナの電気的接続を示すブロック図である。
【図４】図４は、ＰＯＳ装置の電気的接続を示すブロック図である。
【図５】図５は、ＰＯＳ装置の機能構成を示す機能ブロック図である。
【図６】図６は、スキャナの客用ディスプレイの各表示領域を説明する図である。
【図７】図７は、ＰＯＳ装置が実行する表示制御処理の手順を示すフローチャートである。
【図８】図８は、支払画面の表示動作を説明するための画面構成図である。
【図９】図９は、支払画面の表示動作を説明するための画面構成図である。
【図１０】図１０は、支払画面の表示動作を説明するための画面構成図である。
【図１１】図１１は、支払画面の表示動作を説明するための画面構成図である。
【図１２】図１２は、支払画面の表示動作を説明するための画面構成図である。
【図１３】図１３は、支払画面の表示動作を説明するための画面構成図である。
【図１４】図１４は、内訳表示領域のその他の表示例を示す図である。
【図１５】図１５は、客用ディスプレイを客から見て縦置きに配置した場合のスキャナを示す図である。
【発明を実施するための形態】
【０００７】
図１は、実施形態にかかるＰＯＳシステム１の全体構成を示す斜視図である。図１に示すように、ＰＯＳシステム１は、ＰＯＳ装置２と、縦型のスキャナ３とを備え、これらが図示しない伝送路によって通信可能に構成されている。以下では、ＰＯＳ装置２を本実施形態にかかる表示制御装置として用いる場合について説明するが、スキャナ３を本実施形態にかかる表示制御装置として用いてもよい。また、以下では、複数の図面に示される同様の構成について同一符号を付して示し、重複する説明を省略する場合がある。
【０００８】
ＰＯＳ装置２は、硬貨及び紙幣を収納するドロワ５の上に設置されている。ＰＯＳ装置２は、店員用ディスプレイ２１と、客用ディスプレイ２２と、入力部２３と、レシートプリンタ２４とを備えている。
【０００９】
入力部２３には、支払種別を入力するための支払種別キーや、テンキー、小計キー、現計キー等が設けられている。支払種別キーとしては、商品券Ａ、商品券Ｂ、商品券Ｃ等、商品券の種類を選択入力するためのキーや、電子マネーからの入力であることを選択入力するためのキーが設けられている。
【００１０】
スキャナ３は、買物カゴ等を置くためのサッカー台４上の略中央部に立設されている。スキャナ３は、筐体３０の上部に店員用ディスプレイ３１、客用ディスプレイ３２、キーボード３６を備えている。店員用ディスプレイ３１、客用ディスプレイ３２の構成は特に限定されないが、例えば、表面にタッチパネルを配設したＬＣＤ（Liquid  Crystal  Display）を用いることができる。
【００１１】
筐体３０のオペレータ側の側面には、撮像窓３４が設けられている。オペレータ側とは、図１における手前側であり、筐体３０において店員用ディスプレイ３１およびキーボード３６が設けられている側のことである。スキャナ３は、撮像窓３４の内側の筐体３０内部に撮像部３５を備えている。
【００１２】
図２は、客用ディスプレイ３２が設けられている側から見たスキャナ３の外観斜視図である。客用ディスプレイ３２は、筐体３０の上部に、店員用ディスプレイ３１の表示画面とは反対方向に向けて設けられている。即ち、客用ディスプレイ３２は、筐体３０の撮像窓３４が設けられている側とは反対側に設けられている。客用ディスプレイ３２は、会計中の客に対して、売上登録に関する画面、支払処理に関する画面およびその他の情報を表示する。
【００１３】
次に、スキャナ３の電気的接続について説明する。図３は、スキャナ３の電気的接続を示すブロック図である。スキャナ３は、ＣＰＵ（Central  Processing  Unit）４１と、ＲＯＭ（Read  Only  Memory）４２と、ＲＡＭ（Random  Access  Memory）４３とを備え、これらがバス４５で接続されて構成されている。また、ＣＰＵ４１には、通信Ｉ／Ｆ（Interface）１１５と、撮像部３５、キーボード３６と、店員用ディスプレイ３１と、客用ディスプレイ３２とがバス４５により接続されている。通信Ｉ／Ｆ４４は、ＰＯＳ装置２のスキャナコントローラ６９（図４参照）に接続される。
【００１４】
撮像部３５は、カラーＣＣＤイメージセンサやカラーＣＭＯＳイメージセンサ等である。例えば撮像部３５は、３０ｆｐｓの動画像の撮像を行う。撮像部３５が所定のフレームレートで順次撮像したフレーム画像（撮像画像）はＲＡＭ４３に格納される。
【００１５】
次に、ＰＯＳ装置２の電気的接続について説明する。図４は、ＰＯＳ装置２の電気的接続を示すブロック図である。図４に示すように、ＰＯＳ装置２は、ＣＰＵ６１と、ＲＯＭ６２と、ＲＡＭ６３とを備えており、これら各部がバスライン６６により接続されている。また、ＣＰＵ６１には、表示／キーボードコントローラ６７と、プリンタコントローラ６８と、スキャナコントローラ６９と、ＨＤＤ６４と、通信Ｉ／Ｆ６５とが、バスライン６６により接続されている。
【００１６】
表示／キーボードコントローラ６７は、ＣＰＵ６１が出力した画像データに基づいて店員用ディスプレイ２１、客用ディスプレイ２２に画像を表示させる。また、表示／キーボードコントローラ６７は、入力部２３からの入力信号をＣＰＵ６１に取り込む。
【００１７】
プリンタコントローラ６８は、ＣＰＵ６１が出力した印字データに応じた画像を、レシートプリンタ２４に印字させる。スキャナコントローラ６９は、スキャナ３が取り込んだ画像データをＲＡＭ６３に取り込む。
【００１８】
ＨＤＤ６４は、本実施形態にかかるプログラム８１、商品マスタ８２および売上データファイル８３等の各種データを記憶している。尚、プログラム８１はＲＯＭ６２に記憶されていてもよいし、その他のメモリに格納されていてもよい。商品マスタ８２は、商品コードに対応付けて商品価格や商品名等の商品情報を記憶している。売上データファイル８３は、取引番号、取引種別とともに一取引分の売上データを記憶する。
【００１９】
通信Ｉ／Ｆ６５は、無線もしくは有線ＬＡＮ等のネットワークを介してＰＯＳ装置２がストアコンピュータ等の他の機器とデータ通信するためのインタフェースである。
【００２０】
次に、ＰＯＳ装置２の機能構成について図５を用いて説明する。図５は、ＰＯＳ装置２の機能構成を示す機能ブロック図である。本実施形態のＰＯＳ装置２で実行されるプログラムは、入力受付部５１、売上登録部５２、表示制御部５３を含むモジュール構成となっている。実際のハードウェアとしては、ＣＰＵ６１がＨＤＤ６４からプログラムを読み出して実行することにより上記各部が主記憶装置上にロードされ、入力受付部５１、売上登録部５２、表示制御部５３が主記憶装置上に生成されるようになっている。
【００２１】
入力受付部５１は、ＰＯＳ装置２の入力部２３、スキャナ３のキーボード３６、撮像部３５等の入力装置から、各種情報の入力を受付ける。また、入力受付部５１は、入力部２３に設けられた支払種別ごとのキーや、テンキー等の操作に応じて、支払種別ごとの預り金額の入力を受付ける。
【００２２】
また、入力受付部５１は、スキャナ３のキーボード３６またはＰＯＳ装置２の入力部２３から、商品コードの入力を受付ける。尚、商品コードの入力方法は特に限定されない。例えば、入力受付部５１は、スキャナ３の撮像部３５の撮像画像に基づいて商品コードの入力を受付けてもよい。即ち、入力受付部５１は、パターン識別や文字認識により撮像画像からバーコード等のコードシンボルを抽出する。そして、入力受付部５１は、抽出したコードシンボルから商品コードをデコードし、受付ける。或いは、入力受付部５１は、撮像画像にオブジェクト認識処理を行って商品を特定し、特定した商品の商品コードを読み込んで受付けてもよい。
【００２３】
売上登録部５２は、入力受付部５１が受付けた商品コードに対応する商品情報を商品マスタ８２から読み込む。また、売上登録部５２は、客が購入する商品の商品情報を売上データファイル８３に記録することにより、商品を売上登録する。
【００２４】
表示制御部５３は、ＰＯＳ装置２の店員用ディスプレイ２１、客用ディスプレイ２２、スキャナ３の店員用ディスプレイ３１、客用ディスプレイ３２における表示処理を制御する。また、表示制御部５３は、領域表示手段と、内訳表示手段と、隠し表示手段と、メッセージ表示手段として機能する。各機能の詳細については、表示画面例とともに後述する。
【００２５】
次に、図６を用いて、表示制御部５３による客用ディスプレイ３２の表示制御例について説明する。図６は、スキャナ３の客用ディスプレイ３２の各表示領域を説明する図である。表示制御部５３は、客用ディスプレイ３２に第１表示領域７１と、第２表示領域７２とを左右横並びに配置して表示する。尚、第１表示領域７１と、第２表示領域７２の左右方向の並びは特に限定されない。第１表示領域７１は、客用ディスプレイ３２の右側に配置されてもよいし、左側に配置されてもよい。また、表示制御部５３は、横並びに配置した第１表示領域７１および第２表示領域７２の下方に、第３表示領域７３を設けて、客へのメッセージ等を表示する。
【００２６】
第１表示領域７１は、売上登録の明細情報を表示する明細画面１１と、支払に関する支払情報を表示する支払画面１２（図８参照）とを切替えて表示するための表示領域である。明細画面１１には、売上登録部５２により登録された商品の商品名、点数、価格等、売上登録に関する明細情報が表示される。また、明細画面１１には、売上登録された商品の合計点数、合計金額が表示される。
【００２７】
第２表示領域７２は、第１表示領域７１の表示内容とは異なる情報を表示するための表示領域である。一例として、第２表示領域７２には、催し物に関する宣伝や、セールに関する情報、販促メッセージ等の情報が表示される。
【００２８】
次に、支払画面１２の画面構成例および画面遷移例について、図７ないし図１３を用いて説明する。図７は、ＰＯＳ装置２が実行する表示制御処理の手順を示すフローチャートである。また、図８ないし図１３は、支払画面１２の表示動作を説明するための画面構成図である。
【００２９】
図７のステップＳ１において、入力受付部５１は、商品コードの入力を受付けたか否かを判定する。受付けない間（ステップＳ１：Ｎｏ）は入力待ちをする。商品コードの入力を受付けた場合（ステップＳ１：Ｙｅｓ）、売上登録部５２は受付けた商品コードの商品情報を商品マスタ８２から読み込む。表示制御部５３は、読み込まれた商品情報を明細画面１１に表示して明細画面１１を更新する（ステップＳ２）。
【００３０】
次に、入力受付部５１は、ＰＯＳ装置２の入力部２３において小計キー（不図示）が選択操作されたか否かを判定する（ステップＳ３）。選択操作されない場合（ステップＳ３：Ｎｏ）にはステップＳ１に戻る。小計キーが選択操作された場合（ステップＳ３：Ｙｅｓ）、売上登録部５２は登録された商品の合計点数、合計金額を算出する。そして、表示制御部５３は、算出された合計点数、合計金額を含む支払画面１２（図８参照）を表示する（ステップＳ４）。
【００３１】
図８に示すように、表示制御部５３（領域表示手段）は支払画面１２に、メッセージ表示領域１３と支払情報表示領域１４とを縦に連ねて表示する。メッセージ表示領域１３には、支払処理中であることを示すメッセージが表示される。支払情報表示領域１４には、支払情報として、売上商品の合計金額と、客からの預り金額と、売上商品の合計金額から預り金額の合計金額を差し引いた金額である残額とが表示される。
【００３２】
次に、入力受付部５１は、ＰＯＳ装置２の入力部２３から、支払種別および預り金額の入力を受付けたか否かを判定する（ステップＳ５）。受付けない間（ステップＳ５：Ｎｏ）には入力待ちをする。支払種別および預り金額の入力を受付けると（ステップＳ５：Ｙｅｓ）、表示制御部５３は、支払情報表示領域１４内に内訳表示領域１５（図９参照）を新たに設けて表示する（ステップＳ６）。
【００３３】
すなわち、商品券や電子マネー等の入金を受付けると、表示制御部５３は内訳表示領域１５を新設して支払情報表示領域１４の表示領域をメッセージ表示領域１３側に拡張する。このように表示することで、表示内容の変化を客に気付かせ易くすることができる。
【００３４】
また、売上登録部５２は、預り金額の合計金額（預り計）および支払い残額（残額）を算出する。そして、表示制御部５３は支払情報表示領域１４において預り計および残額を更新する（ステップＳ７）。次に、入力受付部５１は、入力部２３において現計キー（不図示）が選択操作されたか否かを判定する（ステップＳ８）。選択操作されない場合（ステップＳ８：Ｎｏ）にはステップＳ９に移行する。
【００３５】
次に、入力受付部５１は、新たに預り金額の入力を受付けたか否かを判定する（ステップＳ９）。入力を受付けない場合（ステップＳ９：Ｎｏ）にはステップＳ８に戻る。入力を受付けた場合（ステップＳ９：Ｙｅｓ）、表示制御部５３は、当該入力が内訳表示領域１５に表示されていない新たな支払種別であるか否かを判定する（ステップＳ１０）。新たな支払種別でない場合（ステップＳ１０：Ｎｏ）、表示制御部５３は、同じ支払種別ごとに預り金額をまとめて内訳を更新する（ステップＳ１１）。新たな支払種別である場合（ステップＳ１０：Ｙｅｓ）には、ステップＳ１２に移行する。
【００３６】
表示制御部５３は、すでに内訳表示領域１５に表示されている預り金の内訳が３行未満であるか否かを判定する（ステップＳ１２）。図１０に示すように内訳表示領域１５における内訳の行数が３行未満である場合（ステップＳ１２：Ｙｅｓ）、表示制御部５３は新たな行を追加してステップＳ９で受付けた内訳を表示する（ステップＳ１３）。その後ステップＳ７に移行する。
【００３７】
一例として、表示制御部５３は、先に受付けた内訳を上段に表示し、後に受付けた内訳を順次その下段に表示する。即ち、図１０では、商品券Ａに関する内訳が先に入力され、その後商品券Ｂに関する内訳が入力された場合を示している。尚、内訳の表示順はこのように下段側に新しい内訳を表示せずに、上段側に新しい内訳を表示してもよい。
【００３８】
このように、表示制御部５３（内訳表示手段）は、内訳表示領域１５において、支払種別ごとに異なる行を設けて預り金額の内訳を表示する。これにより、新たな支払種別の追加に応じて内訳表示領域１５の行数が増加するので、内訳が追加されたことを目立たせることができる。また、同じ支払種別については同じ行にまとめて表示するので、例えば同じ種類の商品券を複数回に分けて登録した場合でも、その合計金額を一目で確認できる。
【００３９】
一方、図１１に示すように、内訳表示領域１５における内訳の行数が３行以上であり、制限行数に達している場合（ステップＳ１２：Ｎｏ）には、ステップＳ１４に移行する。表示制御部５３は、最も先に入力され最上段に表示された内訳を隠し表示とする（ステップＳ１４）。そして、新たに受付けた支払種別の内訳を、新たに最下段に設けた行に表示する（ステップＳ１５）。
【００４０】
即ち、図１１に示す例では、最も先に入力された商品券Ａに関する内訳が、内訳表示領域１５の最上段に表示されている。ここで電子マネーによる入金が追加された場合、表示制御部５３は、最上段に示された商品券Ａの内訳を隠し表示とする。
【００４１】
図１２は、内訳表示領域１５の一部の内訳を隠し表示とした場合の画面例を示す図である。図１２に示すように表示制御部５３は、内訳表示領域１５の一部にスクロール操作受付部１６を表示する。表示制御部５３（隠し表示手段）は、スクロール操作受付部１６の操作に応じて、隠し表示されている内訳を順次表示する。このようにして、最上段を隠し表示とする替わりに、表示制御部５３は新たに受付けた電子マネーによる預り金額の内訳を、新たな行を用いて最下段に表示する。
【００４２】
尚、図１２は隠し表示を内訳表示領域１５の上部で折り畳み表示する例について示したが実施形態はこれに限定されない。下段から上段に内訳表示を積み上げて表示する場合、表示制御部５３は最下段から隠し表示にしてもよい。この場合には、内訳表示領域１５の下部に隠し表示を折り畳み表示してもよい。
【００４３】
また、隠し表示ではなく、最も先に表示されている行から非表示とする形態としてもよい。即ち、表示制御部５３は、最も先に表示された内訳を非表示とし、替わりに、新たに受付けた支払種別の内訳を新たな行で表示する形態でもよい。
【００４４】
ここで、支払画面１２の縦サイズ（縦方向の長さ）は、客用ディスプレイ３２の縦サイズによって固定されている。従って、表示制御部５３は、支払画面１２において支払情報表示領域１４の縦サイズを増加させる際に、メッセージ表示領域１３の縦サイズを減少させる。しかしながら、支払情報表示領域１４の縦サイズに制限を設けておかないと、メッセージ表示領域１３が制限なく縮小されてメッセージが見づらくなることが危惧される。
【００４５】
そこで、表示制御部５３は上述したように、内訳の表示に用いる行数を予め定められた所定行数に制限することにより、内訳表示領域１５の縦サイズを所定の長さに制限する。これにより、図８ないし図１４に示すように、メッセージ表示領域１３の縦サイズを所定長さ以上として維持することができる。従って、客へのメッセージを見易く保つことができ、支払い中であることを客に明確に伝えることができる。
【００４６】
尚、上述では、内訳表示領域１５に表示する内訳を３行以内に制限する場合について説明したが、制限行数は特に限定されない。
【００４７】
ステップＳ８において現計キーが選択操作されると（ステップＳ８：Ｙｅｓ）、売上登録部５２は、明細情報および支払情報を売上データファイル８３に格納し、この取引の登録処理および支払処理を終了する。
【００４８】
表示制御部５３は図１３に示すように、支払情報表示領域１４から内訳表示領域１５を除去して非表示とする（ステップＳ１６）。また、表示制御部５３は、支払情報表示領域１４から残額の表示を消去し、替わりに客に渡す釣銭額を表示する（ステップＳ１７）。さらに、表示制御部５３は、メッセージ表示領域１３において、支払処理中である旨を示すメッセージの表示を終了し、替わりに、「お買い上げありがとうございます」等のように取引終了後に客に示すメッセージを表示する。
【００４９】
尚、表示制御部５３（メッセージ表示手段）は、メッセージ表示領域１３の縦サイズが変化する際に、メッセージ表示領域１３内のメッセージの表示位置を移動させる。一例として表示制御部５３は、メッセージ表示領域１３の縦方向中央部にメッセージが位置するよう、その表示位置を整える。これにより、支払情報表示領域１４のサイズが変更する場合でも、メッセージが目立つようなレイアウトに整えることができる。
【００５０】
尚、上述では、表示制御部５３がスキャナ３の客用ディスプレイ３２に支払画面１２を表示する制御例について説明したが、実施形態はこれに限定されない。表示制御部５３は、ＰＯＳ装置２の客用ディスプレイ２２に支払画面１２を表示してもよい。
【００５１】
また、上述では内訳表示領域１５の縦サイズを制限する際に隠し表示を用いる例を示したが、その他の表示方法により当該縦サイズを制限してもよい。図１４は、内訳表示領域１５のその他の表示例を示す図である。図１４に示すように、所定の行数（例えば３行）以上となって内訳表示領域１５の縦サイズの制限長さに達した場合に、各行の文字サイズを小さくしてすべての内訳を表示してもよい。
【００５２】
また、図２では、スキャナ３の客用ディスプレイ３２を客から見て横置きに配置した例を示したが、客用ディスプレイ３２は客から見て縦置きに配置してもよい。ここで、縦置きとは縦の長さが横の長さより長い置き位置であり、横置きとは横の長さが縦の長さより長い置き位置のことである。
【００５３】
図１５は、客用ディスプレイ３２を客から見て縦置きに配置した場合のスキャナ３を示す図である。図１５のように客用ディスプレイ３２を縦置きに配置し、第１表示領域７１のみを客用ディスプレイ３２に表示する形態としてもよい。
【００５４】
なお、本実施形態のＰＯＳ装置２で実行されるプログラムは、ＨＤＤ６４に予め組み込まれて提供される。本実施形態のＰＯＳ装置２で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００５５】
さらに、本実施形態のＰＯＳ装置２で実行されるプログラムを、インターネット等のネットワークに接続されたコンピュータ上に格納し、ネットワーク経由でダウンロードさせることにより提供するように構成しても良い。また、本実施形態のＰＯＳ装置２で実行されるプログラムをインターネット等のネットワーク経由で提供または配布するように構成しても良い。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５７】
以上のように、本実施形態のＰＯＳ装置２は、支払情報表示領域１４とメッセージ表示領域１３とを縦に連ねて客用ディスプレイ３２に表示する。従って、客はメッセージと支払い内訳とを並べて確認することができる。また、ＰＯＳ装置２は、内訳表示領域１５において支払種別ごとに異なる行を設けて預り金額の内訳を表示する。これにより、新たな支払種別の追加に応じて内訳表示領域１５の行数が増加するので、内訳が追加されたことを目立たせることができる。以上のように、本実施形態によれば、マルチテンド決済時において支払い中に客に分かり易く情報表示することができる表示制御装置およびプログラムを提供することができる。
【符号の説明】
【００５８】
１…ＰＯＳシステム、２…ＰＯＳ装置、３…スキャナ、１１…明細画面、１２…支払画面、１３…メッセージ表示領域、１４…支払情報表示領域、１５…内訳表示領域、１６…スクロール操作受付部、２１…店員用ディスプレイ、２２…客用ディスプレイ、２３…入力部、３１…店員用ディスプレイ、３２…客用ディスプレイ、５１…入力受付部、５２…売上登録部、５３…表示制御部、７１…第１表示領域。
【先行技術文献】
【特許文献】
【００５９】
【特許文献１】特開２０１２−２１２４５９号公報
【図１】
2015069536.tif 000003
【図２】
2015069536.tif 000004
【図３】
2015069536.tif 000005
【図４】
2015069536.tif 000006
【図５】
2015069536.tif 000007
【図６】
2015069536.tif 000008
【図７】
2015069536.tif 000009
【図８】
2015069536.tif 000010
【図９】
2015069536.tif 000011
【図１０】
2015069536.tif 000012
【図１１】
2015069536.tif 000013
【図１２】
2015069536.tif 000014
【図１３】
2015069536.tif 000015
【図１４】
2015069536.tif 000016
【図１５】
2015069536.tif 000017